(57)【要約】【課題】シリンジホルダにプレフィルドシリンジを装填するときに薬液を漏出する恐れのないプレフィルドシリンジの薬液投与装置を提供する。【解決手段】薬液を封入したプレフィルドシリンジ１１をシリンジホルダ１６に装填し、上記プレフィルドシリンジ１１に内装されたガスケット１４をロッド１２で押し込むことによって薬液を投与する装置において、上記ロッド１２の前端にシリンジホルダ１６の内面に向けて広がる爪１８を設け、上記シリンジホルダ１６に装填したプレフィルドシリンジ１１をロックするカム１５を設けてなり、プレフィルドシリンジ１１を装填するとき、その後端が爪１８を介してロッド１２を押し上げ内筒１９に至ると爪１８が窄みプレフィルドシリンジ１１の後端は環状空域１７に収まる。【選択図】図１
2005073985.tif 000002
【特許請求の範囲】
【請求項１】
薬液を封入したプレフィルドシリンジをシリンジホルダに装填し、上記プレフィルドシリンジに内装されたガスケットをロッドで押し込むことによって薬液を投与する装置において、上記ロッドの前端、またはプレフィルドシリンジの後端に、装填されるプレフィルドシリンジと共にロッドを後退させる手段を設け、上記シリンジホルダの前端に、装填したプレフィルドシリンジをロックする手段を設けたことを特徴とするプレフィルドシリンジの薬液投与装置。
【請求項２】
上記装填されるプレフィルドシリンジと共にロッドを後退させる手段は、ロッドの前端に、シリンジホルダの内面に向けて広がる係止片を設け、該シリンジホルダの後端には内筒を設けて上記プレフィルドシリンジの後端を受け入れる環状空域を形成したことを特徴とする請求項１に記載のプレフィルドシリンジの薬液投与装置。
【請求項３】
上記装填されるプレフィルドシリンジと共にロッドを後退させる手段は、ロッドの前端にシリンジホルダの内面に向けて拡張するエラストマからなる羽根を装着し、該シリンジホルダの後端には内筒を設けて上記プレフィルドシリンジの後端を受け入れる環状空域を形成したことを特徴とする請求項１に記載のプレフィルドシリンジの薬液投与装置。
【請求項４】
上記装填されるプレフィルドシリンジと共にロッドを後退させる手段は、ロッドの前端に環状コーン形プラスチック発泡体を設け、該シリンジホルダの後端には内筒を設けて上記プレフィルドシリンジの後端を受け入れる環状空域を形成したことを特徴とする請求項１に記載のプレフィルドシリンジの薬液投与装置。
【請求項５】
上記装填されるプレフィルドシリンジと共にロッドを後退させる手段は、上記プレフィルドシリンジの後端に、後方に向け求心的テーパーを形成した膜を設けたことを特徴とする請求項１に記載のプレフィルドシリンジの薬液投与装置。
【請求項６】
上記膜の中心に、ロッド先端の外径より小さい孔を穿設し、該膜に放射状のスリットを形成したことを特徴とする請求項１または５に記載のプレフィルドシリンジの薬液投与装置。
【発明の詳細な説明】
【技術分野】
【０００１】
この発明はプレフィルドシリンジによる薬液投与に関する。
【背景技術】
【０００２】
プレフィルドシリンジの古いタイプとしては、図６に示すものがあり、シリンジ６１の先端には図示しないキャップが被せられ後端からロッド６２が差し込まれ、全体を図示しないプラスチックチューブで包装されたものを挙げることができ、薬液を投与するときは上記包装を破り、キャップを外して注射針６３を装着しロッド６２を押すものである。
【０００３】
また、図４に示すようにガスケット４４を内装したシリンジに薬液を封入したプレフィルドシリンジ４１が予め用意されており、これを前端にロックカム４５を設けたシリンジホルダ４６に装填し、このシリンジホルダ４６の後方からロッド４２と共に上記ガスケット４４を押し込んで薬液を投与するものがある。
【０００４】
また、図５に示すように前端にロックカム５５を設けたシリンジホルダ５６とロッド５２とが取り付けられ、ロッド５２のストロークと薬液投与速度を設定できる薬液投与装置５０のシリンジホルダ５６にプレフィルドシリンジ（図４参照）を装填し、起動ボタン５７を押すことにより所要量の薬液を所要の速さで投与する装置がある。
【発明の開示】
【発明が解決しようとする課題】
【０００５】
上記従来の装置では、図４に示すようにシリンジホルダにプレフィルドシリンジ４１を装填するとき、ロッド４２を後方に後退させておく必要があり、もしこれを忘れるとロッド４２の摺動抵抗によりガスケット４４が押されて同図（ｂ）の如く薬液を漏出させてしまう恐れがある。
【０００６】
上記問題に鑑みこの発明は、シリンジホルダにプレフィルドシリンジを装填するとき、薬液を漏出する恐れのないプレフィルドシリンジの薬液投与装置を提供することを課題とする。
【課題を解決するための手段】
【０００７】
上記課題を解決するためにこの発明は、薬液を封入したプレフィルドシリンジをシリンジホルダに装填し、上記プレフィルドシリンジに内装されたガスケットをロッドで押し込むことによって薬液を投与する装置において、上記ロッドの前端、またはプレフィルドシリンジの後端に、装填されるプレフィルドシリンジと共にロッドを後退させる手段を設け、上記シリンジホルダに装填したプレフィルドシリンジをロックする手段を設けてなり、上記装填されるプレフィルドシリンジと共にロッドを後退させる手段は、Ａ、ロッドの先端にシリンジホルダの内面に向けて広がる係止片を設ける。Ｂ、ロッドの先端にシリンジホルダの内面に向けて拡張するエラストマからなる羽根を装着する。Ｃ、ロッドの先端に環状コーン形プラスチック発泡体を設け、上記ＡからＣにおいては、該シリンジホルダの後端には上記プレフィルドシリンジの後端を受け入れる環状空域を形成してなる。
【０００８】
また、上記装填されるプレフィルドシリンジと共にロッドを後退させる手段は、上記プレフィルドシリンジの後端に、後方に向け求心的テーパーを形成した膜を設けてなり、上記膜の中心に、ロッド先端の外径より小さい孔を穿設し、該膜に放射状のスリットを形成したものとすることができる。
【発明の効果】
【０００９】
上記の如く構成するこの発明によれば、プレフィルドシリンジをシリンジホルダに装填するとき、予めロッドを後退させておく必要はなく、プレフィルドシリンジを装填すると、ロッドの先端に設けた上記係止片、または環状コーン形発泡体、あるいはプレフィルドシリンジの後端に設けた求心的テーパー膜の存在によりロッドは共に後退するので薬液の漏出の心配は完全になくなる。
【発明を実施するための最良の形態】
【００１０】
次にこの発明の第一実施形態を、図１を参照しながら説明する。シリンジホルダ１６の前端にプレフィルドシリンジ１１をロックするカム１５があり、上端の内側にはプレフィルドシリンジ１１の上端を収容する環状空域１７が形成されている。
【００１１】
ロッド１２の下端にはトーションスプリングＳ１によりピンＰ１を軸に外側に付勢された爪１８が設けられている。
【００１２】
プレフィルドシリンジ１１を装填するときは、カム１５をトーションスプリングＳ２の付勢に抗して広げて挿入すると、プレフィルドシリンジ１１の後端は爪１８に当接し、その状態でロッド１２は後退し、環状空域１７を形成する内筒１９に至ると爪１８は窄められ内筒１９の内側に入り、プレフィルドシリンジ１１の後端は環状空域に収まり、プレフィルドシリンジ全体がシリンジホルダ１６内に収まると、カム１５がトーションスブリングＳ２に付勢されて横向きになり（図１（ｂ）の状態）ロックされ、この状態になるとロッド１２の頭部１３を押して薬液を投与できる。
【００１３】
次にこの発明の第二実施形態を、図２を参照しながら説明する。シリンジホルダ２６の前端にプレフィルドシリンジ２１をロックするカム２５があり、後端の内側にはプレフィルドシリンジ２１の後端を収容する環状空域２７が形成されており、ロッド２２の前端には上面テーパーの環状コーン形のプラスチック発泡体２８が取り付けられている。
【００１４】
プレフィルドシリンジ２１をシリンジホルダ２６に装填するときは、カム２５をトーションスプリングＳ２の付勢に抗して広げて挿入すると、プレフィルドシリンジ２１の後端は環状コーン形のプラスチック発泡体２８に当接し、その状態でロッド２２は後退し、環状空域２７を形成する内筒２９に至るとプラスチック発泡体２８は窄められて筒２９の内側に入り、プレフィルドシリンジの後端は環状空域に収まり、プレフィルドシリンジ全体がシリンジホルダ２６内に収まると、カム２５がトーションスブリングＳ２に付勢されて横向きになり（図２（ｂ）の状態）ロックされ、この状態になるとロッド２２の頭部２３を押して薬液を投与できる。なお、上記環状コーン形のプラスチック発泡体２８に替えて後端に向け傾斜したエラストマからなる羽根を設けることもできる。
【００１５】
次にこの発明の第三実施形態を、図３を参照しながら説明する。シリンジホルダ３６の前端にプレフィルドシリンジ３１をロックするカム３５がある。
【００１６】
プレフィルドシリンジ３１の後端には、後方に向け求心的テーパーを形成した膜３８が貼り付けられている。なお、この膜３８は周囲が厚肉でロッド３２の直径と同径か僅かに小さい内径で薄肉とし、放射状のスリットまたはハーフカットの切り目を入れると効果的である。または、中心にロッド３２より僅かに小さい径の孔を設け、放射状のスリットまたはハーフカットの切り目を入れたものでもよい。
【００１７】
プレフィルドシリンジ３１を装填するときは、カム３５をトーションスプリングＳ２の付勢に抗して広げて挿入すると、プレフィルドシリンジ３１後端の求心的テーパー膜によってロッド３２は後退し、プレフィルドシリンジ３１全体がシリンジホルダ３６内に収まり、カム３５がトーションスブリングＳ２に付勢されて横向きになってロックされ、ロッド３２の頭部３３を押して薬液を投与できる状態となる。
【００１８】
ロッド３２の頭部３３を押すと、膜３８は破れてロッド３２がガスケット３４に向けて進入し、ガスケット３４を押すと薬液が投与される。
【図面の簡単な説明】
【００１９】
【図１】第一実施形態の（ａ）シリンジ装填状態の断面図、（ｂ）装填完了状態の断面図
【図２】第二実施形態の（ａ）シリンジ装填状態の断面図、（ｂ）装填完了状態の断面図
【図３】第三実施形態のシリンジ装填状態の断面図
【図４】従来例の（ａ）シリンジ装填状態の断面図、（ｂ）装填完了状態の断面図
【図５】従来の薬液投与装置の概略斜視図
【図６】旧来のプレフィリングシリンジの一部切欠き正面図
【符号の説明】
【００２０】
１０，２０，３０，４０，５０  薬液投与装置
１１，２１，３１，４１，５１，６１  プレフィルドシリンジ
１２，２２，３２，４２，５２，６２  ロッド
１３，２３，３３，４３，６３  頭部
１４，２４，３４，４４  ガスケット
１５，２５，３５，４５  カム
１６，２６，３６，４６，５６  シリンジホルダ
１７，２７  環状空域
１８  爪
１９，２９，３９  内筒
２８  環状コーン形プラスチック発泡体
３８  膜
５５  ロックカム
Ｐ１，Ｐ２  ピン
Ｓ１，Ｓ２  トーションスプリング
【図１】
2005073985.tif 000003
【図２】
2005073985.tif 000004
【図３】
2005073985.tif 000005
【図４】
2005073985.tif 000006
【図５】
2005073985.tif 000007
【図６】
2005073985.tif 000008